(57)【特許請求の範囲】
【請求項１】
それぞれが発光領域および前記発光領域の周辺の非発光領域を表面に有し、前記非発光領域同士が隣り合うように配置された複数の発光パネルと、
光入射面および光取出面を有し、前記光入射面が前記発光パネルの前記表面に対向するように配置され、前記発光領域からの光を前記光入射面から取り込んで前記光取出面から出射する導光部材と、
前記発光パネルの前記表面の側から前記非発光領域に対向するように位置し、前記発光領域から前記導光部材に取り込まれた光を前記発光パネルが位置する側とは反対側に反射する反射部と、
前記発光領域に対向するように前記光取出面上に設けられた減光部と、
前記導光部材に間隙を空けて対向するように設けられた光拡散部材と、を備え、
前記発光領域から前記導光部材に取り込まれた光の一部は、前記減光部を通過することにより光量が減少された状態で出射される、
照明装置。
【請求項２】
前記減光部は、前記減光部を通過する光を散乱させることによって、前記減光部を通過する光の光量を減少させる、
請求項１に記載の照明装置。
【請求項３】
前記減光部は、前記光取出面に表面加工が行なわれることにより前記導光部材の一部として形成されている、
請求項１または２に記載の照明装置。
【請求項４】
前記減光部は、前記光取出面上に設けられた半透明鏡を含む、
請求項１に記載の照明装置。
【請求項５】
前記減光部は、前記光取出面上に設けられた光吸収部材を含む、
請求項１に記載の照明装置。
【請求項６】
前記反射部は、前記導光部材とは別に設けられた反射部材を含む、
請求項１から５のいずれかに記載の照明装置。
【請求項７】
前記発光領域と前記導光部材との間には、光拡散部が設けられる、
請求項１から６のいずれかに記載の照明装置。
【請求項８】
前記減光部は、前記発光領域に対向する中央部と、前記非発光領域に対向する外周部とを含み、
前記中央部の光透過率は、前記外周部の光透過率よりも低い、
請求項１から７のいずれかに記載の照明装置。
【発明の詳細な説明】
【技術分野】
【０００１】
本発明は、照明装置に関し、特に、面状に配列された複数の発光パネルを備える照明装置に関する。
【背景技術】
【０００２】
近年、有機ＥＬ（ＯＬＥＤ：Organic  Electroluminescence）等の発光パネルを発光光源として備えた照明装置が注目を集めている。照明装置に対する大型化の要請が高まるにつれて、発光光源にもより面積の大きなものが望まれている。発光光源の面積を大きくするためには、発光光源を構成する発光パネルの面積を大きくすることが考えられる。しかしながら、発光光源を構成する有機ＥＬ素子などの面積を大きくすることは、これらを製造する装置が大きくなって製造コストが増大したり、歩留まりが低下したりする。【０００３】
製造コストの増大および歩留まりの低下などを抑制するため、面積の小さな複数の発光パネルを配列する方法が知られている。小さな発光パネルは、高い生産効率で安価に製造されることができる。しかしながら、一般的な発光パネルは、発光パネルの外縁（周囲）に非発光領域が設けられる。発光パネルを面状に複数配列した照明装置においては、互いに隣り合う発光パネルと発光パネルとの間に隙間（継ぎ目）が形成される。この隙間を含む非発光領域の輝度を向上させるために、反射板などの反射手段を非発光領域に対向するように配置することで、輝度ムラを低減することが可能となる。【０００４】
特開２００５−２６６２８５号公報（特許文献１）は、電気光学装置に関する発明を開示している。この電気光学装置においては、接合部分を挟む２枚の小型基板のうち、一方の小型基板の側端面は上向きの順テーパー形状を有しており、他方の小型基板の側端面は下向きの逆テーパー形状を有している。同公報は、この電気光学装置によれば、接合部分の隙間を目立たなくすることができると述べている。【０００５】
特開２００５−３５３５６４号公報（特許文献２）は、面発光装置に関する発明を開示している。この面発光装置は、基板と基板上に形成された面発光素子とを備えるとともに、発光部と非発光部とを有している。基板は、光が入射する光入射面と光が出射する光出射部とを含んでいる。光出射部は、光入射面に対して傾斜する一または複数の傾斜面を有している。傾斜面は、非発光部に対応する部分に設けられている。同公報は、この構成によれば、非発光部による暗部が認識されにくい照明装置を得ることができると述べている。【０００６】
特開２００９−２１１８８６号公報（特許文献３）は、有機ＥＬ装置に関する発明を開示している。この有機ＥＬ装置は、素子基板および封止板を備えている。素子基板または封止板の外側の主面は、有機発光層によって発光された光を取り出すための光取出面である。光取出面は、有機発光層の上下方向の発光領域に形成された平行部と、発光領域の外側の非発光領域に形成され、平行部に対して傾斜した傾斜部とを含んでいる。同公報は、この有機ＥＬ装置によれば、光取出面での光の斑を低減できると述べている。
【先行技術文献】
【特許文献】
【０００７】
【特許文献１】特開２００５−２６６２８５号公報
【特許文献２】特開２００５−３５３５６４号公報
【特許文献３】特開２００９−２１１８８６号公報
【発明の概要】
【発明が解決しようとする課題】
【０００８】
本発明は、輝度の不均一性を低減し、非発光領域をより目立たなくすることが可能な照明装置を提供することを目的とする。
【課題を解決するための手段】
【０００９】
本発明に基づく照明装置は、それぞれが発光領域および上記発光領域の周辺の非発光領域を表面に有し、上記非発光領域同士が隣り合うように配置された複数の発光パネルと、光入射面および光取出面を有し、上記光入射面が上記発光パネルの上記表面に対向するように配置され、上記発光領域からの光を上記光入射面から取り込んで上記光取出面から出射する導光部材と、上記発光パネルの上記表面の側から上記非発光領域に対向するように位置し、上記発光領域から上記導光部材に取り込まれた光を上記発光パネルが位置する側とは反対側に反射する反射部と、上記発光領域に対向するように上記光取出面上に設けられた減光部と、上記導光部材に間隙を空けて対向するように設けられた光拡散部材と、を備え、上記発光領域から上記導光部材に取り込まれた光の一部は、上記減光部を通過することにより光量が減少された状態で出射される。
【発明の効果】
【００１０】
本発明によれば、輝度の不均一性を低減し、非発光領域をより目立たなくすることが可能な照明装置を得ることができる。
【図面の簡単な説明】
【００１１】
【図１】実施の形態における照明装置を示す底面図である。
【図２】図１中のＩＩ−ＩＩ線に沿った矢視断面図である。
【図３】実施の形態における照明装置に用いられる複数のうちの１つの発光パネルを示す平面図である。
【図４】図３中のＩＶ−ＩＶ線に沿った矢視断面図である。
【図５】実施の形態における照明装置に用いられる複数のうちの２つの発光パネルが隣り合って配置された状態を示す断面図である。
【図６】実施の形態における照明装置に用いられる複数のうちの１つの発光パネル、１つの導光部材および１つの減光部材を示す斜視図である。
【図７】実施の形態における照明装置に用いられる複数のうちの１つの発光パネル、１つの導光部材および１つの減光部材を示す断面図である。
【図８】実施の形態における照明装置が動作している時の様子を示す断面図である。
【図９】実施の形態に関して行なった実験例の結果を示す図である。
【図１０】実施の形態の変形例２における照明装置を示す断面図である。
【図１１】実施の形態の変形例３における照明装置を示す断面図である。
【図１２】実施の形態の変形例４における照明装置を示す断面図である。
【発明を実施するための形態】
【００１２】
本発明に基づいた各実施の形態について、以下、図面を参照しながら説明する。各実施の形態の説明において、個数および量などに言及する場合、特に記載がある場合を除き、本発明の範囲は必ずしもその個数およびその量などに限定されない。各実施の形態の説明において、同一の部品および相当部品に対しては、同一の参照番号を付し、重複する説明は繰り返さない場合がある。
【００１３】
（照明装置１００）
図１は、実施の形態における照明装置１００を示す底面図である。図１は、照明装置１００に用いられる発光パネル１０の表面１２（発光面）の側から照明装置１００を見たときの様子を示している。図２は、図１中のＩＩ−ＩＩ線に沿った矢視断面図である。
【００１４】
図示上の便宜のため、図１では照明装置１００に用いられる光拡散板６０（図１および図２参照）が一点鎖線を用いて透過的に図示されており、照明装置１００に用いられる導光部材３０および減光部材４０が実線を用いて図示されている。図２では、発光パネル１０が模式的に図示されている。
【００１５】
図１および図２に示すように、照明装置１００は、複数の発光パネル１０、複数の導光部材３０、複数の減光部材４０、筺体５０（図２参照）および光拡散板６０を備える。実施の形態の照明装置１００は、８枚の発光パネル１０、８つの導光部材３０、および８つの減光部材４０を備える。８枚の発光パネル１０は、２×４の行列状（マトリックス状）に配列され、面方向に沿うように面状（同一平面上）に配置されている。実施の形態における複数の発光パネル１０の各々は、外周が略正方形状に形成され、同一の構成を有している。
【００１６】
８つの導光部材３０は、８つの発光パネル１０に１つずつ取り付けられる（詳細は後述する）。８つの減光部材４０は、８つの導光部材３０に１つずつ取り付けられる（詳細は後述する）。以下、実施の形態の照明装置１００に用いられる発光パネル１０、導光部材３０、減光部材４０、筺体５０および光拡散板６０について、詳細に順に説明する。
【００１７】
（発光パネル１０）
実施の形態の発光パネル１０は、有機ＥＬ素子から構成される。発光パネル１０は、複数の発光ダイオード（ＬＥＤ）と拡散板とから面状の発光パネルとして構成されていてもよい。発光パネル１０は、冷陰極管等を用いて面状の発光パネルとして構成されていてもよい。８枚の発光パネル１０は、同一の構成を有していてもよいし、異なる構成を有していてもよい。
【００１８】
図３は、発光パネル１０を示す平面図である。図３は、発光パネル１０の背面１９の側から発光パネル１０を見たときの様子を示している。図４は、図３中のＩＶ−ＩＶ線に沿った矢視断面図である。
【００１９】
図３および図４を参照して、発光パネル１０は、透明基板１１（カバー層）、陽極１４、有機層１５、陰極１６、封止部材１７および絶縁層１８を含む。透明基板１１は、発光パネル１０の表面１２（発光面）を形成し、透明基板１１の外周端面は、発光パネル１０の外周１０Ｅを形成している。陽極１４、有機層１５および陰極１６は、透明基板１１の裏面１３上に順次積層される。封止部材１７は、発光パネル１０の背面１９を形成している。
【００２０】
透明基板１１は、たとえば各種のガラス基板から構成される。透明基板１１を構成する部材としては、ＰＥＴ（Polyethylene  Terephthalate）またはポリカーボネイト等のフィルム基板が用いられてもよい。陽極１４は、透明性を有する導電膜である。陽極１４を形成するためには、スパッタリング法等によって、ＩＴＯ（Indium  Tin  Oxide：インジウム錫酸化物）等が透明基板１１上に成膜される。フォトリソグラフィ法等によりＩＴＯ膜が所定の形状にパターニングされることによって、陽極１４が形成される。陽極１４を形成するＩＴＯ膜は、電極取出部２１（陽極用）および電極取出部２２（陰極用）を形成するために、パターニングによって２つの領域に分割されている。電極取出部２２のＩＴＯ膜は陰極１６と接続される。
【００２１】
有機層１５（発光部）は、電力を供給されることによって光（可視光）を生成することができる。有機層１５は、単層の発光層から構成されていてもよく、正孔輸送層、発光層、正孔阻止層、および電子輸送層などが順次積層されることによって構成されていてもよい。陰極１６は、たとえばアルミニウム（ＡＬ）である。陰極１６は、真空蒸着法等によって有機層１５を覆うように形成される。陰極１６を所定の形状にパターニングするために、真空蒸着の際にはマスクが用いられるとよい。
【００２２】
陰極１６と陽極１４とが短絡しないように、陰極１６と電極取出部２１側の陽極１４との間に絶縁層１８が設けられる。陰極１６の絶縁層１８が設けられる側とは反対側の部分は、電極取出部２２に接続される。絶縁層１８は、たとえばスパッタリング法を用いてＳｉＯ２などが成膜された後、フォトリソグラフィ法等を用いて陽極１４と陰極１６とを互いに絶縁する箇所を覆うように所望のパターンに形成される。
【００２３】
封止部材１７は、絶縁性を有する樹脂またはガラス基板などから構成される。封止部材１７は、有機層１５を水分等から保護するために形成される。封止部材１７は、陽極１４、有機層１５、および陰極１６（発光パネル１０の内部に設けられる部材）の略全体を透明基板１１上に封止する。電極取出部２１および電極取出部２２は、電気的な接続のために、封止部材１７から露出している。
【００２４】
電極取出部２１と陽極１４とは互いに同じ材料で構成される。電極取出部２１は、発光パネル１０の外周に位置する。電極取出部２２と陽極１４とは互いに同じ材料で構成される。電極取出部２２も、発光パネル１０の外周に位置する。
【００２５】
電極取出部２１および電極取出部２２は、有機層１５を挟んで相互に反対側に位置している。隣り合う電極取出部２１および電極取出部２２同士の間には、分割領域２０（図３参照）が形成されている。電極取出部２１および電極取出部２２には、はんだ付け（銀ペースト）等を用いて配線パターン（図示せず）が取り付けられる。
【００２６】
以上のように構成される発光パネル１０の表面１２には、有機層１５が形成されている領域にほぼ対応するように発光領域Ｒ１（図４参照）が形成され、電極取出部２１，２２が形成されている領域にほぼ対応するように非発光領域Ｒ２（図４参照）が形成される。非発光領域Ｒ２は、発光領域Ｒ１の外周に位置し、環状の形状を有している。
【００２７】
図５は、２つの発光パネル１０が隣り合って配置された状態を示す断面図である。図１、図２および図５に示すように、実施の形態においては、非発光領域Ｒ２（図５参照）同士が隣り合うように、複数の発光パネル１０が配置される。隣り合う発光パネル１０は隙間７０を隔てて並べられ、筺体５０（図２参照）のパネル保持部５４に固定される（詳細は後述する）。隣り合う発光パネル１０の表面１２は、略同一平面上に位置している。隣り合う発光パネル１０の間には、非発光領域Ｒ２，Ｒ２および隙間７０を含む非発光領域Ｒ３（図５参照）が形成される。非発光領域Ｒ３の幅は、たとえば１０ｍｍである。
【００２８】
図５を参照して、発光パネル１０の有機層１５には、外部の電源装置から、図示しない配線パターン、電極取出部２１，２２、陽極１４および陰極１６を通して電力が供給される。有機層１５で生成された光は、陽極１４および透明基板１１を通して、表面１２（発光面）の発光領域Ｒ１から出射される。
【００２９】
（導光部材３０・減光部材４０）
図６は、照明装置１００（図１参照）に用いられる発光パネル１０、導光部材３０および減光部材４０を示す斜視図である。図６においては、発光パネル１０および導光部材３０が互いに分離された状態が図示されている。図７は、発光パネル１０、導光部材３０および減光部材４０を示す断面図である。図７においては、発光パネル１０の表面１２に導光部材３０が取り付けられた状態が図示されている。
【００３０】
図６および図７（ならびに図１および図２）を参照して、実施の形態における導光部材３０は、プリズムからなり、光入射面３１、光取出面３２および４つの反射面３４を有する。導光部材３０は、台形状の断面形状を有し（図７参照）、その厚さＴ１はたとえば４ｍｍである。光入射面３１および光取出面３２は、矩形状の形状を有し、互いに平行な位置関係となるように形成される。光取出面３２は、光入射面３１に比べて大きい表面積を有する。光入射面３１は、発光パネル１０の表面１２に形成される発光領域Ｒ１（図５参照）に対向するように配置される。
【００３１】
実施の形態においては、光入射面３１と透明基板１１（発光領域Ｒ１）との間に図示しない光学系の接着剤が設けられる。導光部材３０は、この接着剤を用いて発光パネル１０の透明基板１１に取り付けられる（図６中の矢印ＤＲ参照）。接着剤は、必要に応じて設けられるとよい。接着剤の代わりに、マッチングオイルなどが用いられてもよい。接着剤などが用いられない場合、導光部材３０の光入射面３１が透明基板１１（発光領域Ｒ１）に密着するように、導光部材３０および発光パネル１０同士は別部材によって固定されるとよい。
【００３２】
導光部材３０は、光入射面３１を通して発光領域Ｒ１（図５参照）からの光を取り込み、取り込んだ光を光取出面３２から出射する。好適には、光入射面３１の形状および大きさ（表面積）は、発光パネル１０の表面１２に形成される発光領域Ｒ１の形状および大きさとそれぞれ同一であるとよい。光入射面３１の形状および大きさ（表面積）は、発光領域Ｒ１の形状および大きさよりもそれぞれ小さくてもよい。
【００３３】
４つの反射面３４は、全体として環状に配置され、導光部材３０の外周を形成している。４つの反射面３４の各々は、台形状に形成され、平坦な面形状を有する。４つの反射面３４の各々は、互いに平行な位置関係にある一対の光入射面３１の外縁と光取出面３２の外縁とを接続している。４つの反射面３４の各々は、光入射面３１の外縁を起点として、光取出面３２の外縁に向かって光入射面３１から遠ざかる方向に傾斜している。
【００３４】
反射面３４の光取出面３２に対してなす角度θ１は、たとえば３０°である。角度θ１の値は、１５°から７０°の間で適宜変更してもよい。導光部材３０が発光パネル１０の透明基板１１に取り付けられた状態において  は、反射面３４は、反射部として機能し、発光パネル１０の表面１２の側から非発光領域Ｒ２に対向する（図７参照）。
【００３５】
以上のように形成される導光部材３０は、たとえば１．４〜１．７程度の屈折率を有する材質から形成される。導光部材３０を構成する材料としては、可視光に対する光透過率が高いものが好ましく、たとえば、ガラス、石英、アクリル、ポリ塩化ビニル、ポリエチレン、ポリスチレン、またはポリカーボネイトなどが使用される。導光部材３０は、型を用いた成形加工によって作製してもよく、平板状の素板に切削加工などを施すことによって作製してもよい。
【００３６】
減光部材４０は、導光部材３０の光取出面３２上に設けられる。導光部材３０が発光パネル１０の透明基板１１に取り付けられた状態においては、減光部材４０は、導光部材３０の光取出面３２上において発光領域Ｒ１に対向する。実施の形態の減光部材４０は、矩形状に形成され、発光領域Ｒ１の大きさに対応する大きさを有している。実施の形態の減光部材４０は、光取出面３２の中央部に貼り付けられる。減光部材４０は、発光領域Ｒ１の大きさよりも小さい大きさを有していてもよい。減光部材４０は、少なくとも発光領域Ｒ１のうちの最も輝度が高い部分に対応するように設けられるとよい。
【００３７】
減光部材４０は、減光部として機能し、導光部材３０の光取出面３２から出射された光の光量を減少させる。減光部材４０は、減光部材４０に入射した光を所定の光量だけ減少させて出射する。減光部材４０としては、可視光に対する光透過率がたとえば９５％以下の光拡散シート、半透明鏡、または光吸収部材などの光学的に光量を下げる部材を用いることができる。好適には、減光部材４０としては、ＮＤフィルター（Neutral  Density  Filter）が用いられるとよい。これらは組み合わされて用いられてもよい。
【００３８】
減光部材４０として光拡散シートが用いられる場合、減光部材４０は、減光部材４０を通過する光を散乱させることによって、減光部材４０を通過する光の光量を減少させることができる。減光部材４０として半透明鏡が用いられる場合、減光部材４０は、減光部材４０を通過する光の一部を透過させ、他の一部を反射させることによって、減光部材４０を通過する光の光量を減少させることができる。減光部材４０として光吸収部材が用いられる場合、減光部材４０は、減光部材４０を通過する光の一部を吸収することによって、減光部材４０を通過する光の光量を減少させることができる。
【００３９】
（筺体５０・光拡散板６０）
図１および図２を再び参照して、筺体５０は、背面パネル５１（図２参照）、側壁部５２および取付具５３（図２参照）を含む。背面パネル５１は、板状の形状を有する。側壁部５２は、背面パネル５１から発光パネル１０が配置される側に向かって垂れ下がるように、背面パネル５１に取り付けられている。実施の形態における側壁部５２は、全体として枠状の形状を有し（図１参照）、発光パネル１０の外周１０Ｅよりも外周に位置している。側壁部５２は、複数の発光パネル１０の周りを外側から取り囲むように配置される。
【００４０】
取付具５３は、板状の形状を有するパネル保持部５４と、パネル保持部５４を背面パネル５１に取り付けるための固定部５５とを有する。固定部５５が背面パネル５１にボルト等（図示せず）を用いて取り付けられることで、パネル保持部５４は背面パネル５１に対して固定される。
【００４１】
パネル保持部５４には、８枚の発光パネル１０が取り付けられる。８枚の発光パネル１０は、必要に応じて両面テープ等を用いてパネル保持部５４に取り付けられるとよい。パネル保持部５４の発光パネル１０が配置される側とは反対側の面上には、必要に応じてコネクター５６およびドライバー回路５７等が設けられる。コネクター５６は、発光パネル１０への給電等に用いられる。ドライバー回路５７は、発光パネル１０を駆動制御する。
【００４２】
光拡散板６０は、光拡散部材として機能し、側壁部５２の下端に取り付けられる。照明装置１００を発光面の側から見た場合（図１参照）、光拡散板６０は、８枚の発光パネル１０および８つの導光部材３０の全部を覆う大きさ（表面積）を有する。
【００４３】
光拡散部材は、たとえば４０°以下の光分散度を有していることが好ましく、１０°〜３０°以下の光分散度を有していることがより好ましい。光拡散部材を通過する光の拡散性が高くなり、輝度ムラが一層低減される。このような光拡散部材を得るためには、たとえば粒子径、粒度分布、および屈折率等において所望の値を有する光拡散剤を選び、ポリカーボネート樹脂などの基材にその光拡散材を配合することで、所望の光分散度を有する光拡散部材を得ることができる。
【００４４】
上述のとおり、発光パネル１０には、導光部材３０が取り付けられる。導光部材３０には、減光部材４０が取り付けられる。導光部材３０と光拡散板６０（図２参照）との間には、間隙６２（図２参照）が設けられる。発光パネル１０の表面１２と光拡散板６０の上面６１（図８参照）との間の間隔Ｈ１（図８参照）は、たとえば１６ｍｍである。この照明装置１００を広告灯や標識に用いる場合には、光拡散板６０には、必要に応じて文字や図形等が設けられてもよい。照明装置１００は、以上のように構成される。
【００４５】
（照明装置１００の動作）
図８を参照して、複数の発光パネル１０に外部の電源装置から電力が供給されることによって、有機層１５がそれぞれ発光する。有機層１５で生成された光は、透明基板１１を通して、表面１２（発光面）の発光領域Ｒ１（図５参照）から出射される。発光領域Ｒ１（図５参照）からの光は、光入射面３１を通して導光部材３０の内部に入り込む。
【００４６】
導光部材３０の内部に入り込んだ光の一部は、導光部材３０の内部を通過してそのまま光取出面３２から出射され、減光部材４０によって光量が減少された状態で減光部材４０から出射される（矢印ＡＲ１参照）。導光部材３０の内部に入り込んだ光の他の一部は、非発光領域Ｒ３寄りの部分を通過し、反射面３４で反射され、光取出面３２から出射される（矢印ＡＲ２参照）。この光は減光部材４０を通過しておらず、減光部材４０による光量の減少作用はこの光には及んでいない。
【００４７】
導光部材３０の内部に入り込んだ光のさらに他の一部は、非発光領域Ｒ３寄りの部分で全反射を繰り返し、反射面３４で反射され、光取出面３２から出射される（矢印ＡＲ３参照）。この光も減光部材４０を通過しておらず、減光部材４０による光量の減少作用はこの光にも及んでいない。反射面３４で反射され、光取出面３２から減光部材４０を通過せずにそのまま取り出される光の動作は、発光パネル１０の外側（照明装置１００の外側）に位置する反射面３４においても同様に行なわれる（矢印ＡＲ４，矢印ＡＲ５参照）。
【００４８】
その後、矢印ＡＲ１〜ＡＲ５で示される光は、光拡散板６０を通過して照明装置１００の外部にそれぞれ取り出される。このような光の導波は、８枚の発光パネル１０において同様に行われる。照明装置１００においては、光取出面３２の中央部を含むように張り付けられた減光部材４０を光が透過する際、その光（矢印ＡＲ１）の光量が減少される。発光領域に対応する部分から出射される光の輝度は、減光部材４０が設けられていない場合に比べて減少している。一方で、反射面３４による反射を用いて、非発光領域に対応する部分から出射される光（矢印ＡＲ２〜ＡＲ５）の輝度は、効果的に増加されている。
【００４９】
発光パネル１０の中央部付近では光の光量が減少され、発光パネル１０の外周部付近では反射光が効果的に利用されて光量が増加される。発光パネル１０の中央部付近に対応する部分から取り出される光の光量と、発光パネル１０の外周部付近に対応する部分から取り出される光の光量との差が小さくなっている。したがって照明装置１００によれば、互いに隣り合う発光パネル１０の間の非発光領域Ｒ３から光が放射されているかのような視覚効果を得ることができるだけでなく、発光面の全体としての輝度の不均一性をより一層低減することが可能となっている。照明装置１００においては、光拡散板６０が用いられることによって、この効果はさらに高められている。
【００５０】
（実験例）
図９は、実施の形態に関して行なった実験例の結果を示す図である。当該実験例においては、３つの照明装置を準備した。１つは、上述の実施の形態の照明装置１００と同様の構成を有する照明装置である。この照明装置の導光部材３０の厚さＴ１（図８参照）は、４ｍｍである。反射面３４の光取出面３２に対してなす角度θ１（図７参照）は、３０°である。発光パネル１０の表面１２と光拡散板６０の上面６１との間の間隔Ｈ１（図８参照）は、１６ｍｍである。透明基板１１の大きさは、１００ｍｍ×１００ｍｍである。減光部材４０の光透過率は、９０％である。
【００５１】
図９の縦軸は、発光領域Ｒ１の中央部の輝度を１０００としたときの、中心位置からの任意の距離の位置における輝度（相対値）を示している。ここで言う輝度とは、光拡散板６０から約１００ｍｍ離れた測定位置で観測した値である。ここで言う中心位置とは、隣り合う発光パネル１０と発光パネル１０とのちょうど間の部分である。図９の横軸は、この中心位置からの距離（ｍｍ）を示している。図９中の線Ｌ１は、この照明装置の輝度分布を測定した結果を示している。
【００５２】
図９中の線Ｌ２は、もう１つの照明装置の輝度分布を測定した結果を示している。このもう１つの照明装置は、上記の照明装置と同様の構成を備えているが、減光部材４０を備えていない。図９中の線Ｌ３は、さらに他の１つの照明装置の輝度分布を測定した結果を示している。さらに他の１つの照明装置は、上記の照明装置と同様の構成を備えているが、導光部材３０も減光部材４０も備えていない。
【００５３】
図９中の線Ｌ１から読み取れるように、上述の実施の形態に対応する照明装置では、輝度のばらつきが１０００〜９４０の範囲内に留まっていることがわかる。図９中の線Ｌ２から読み取れるように、導光部材を備え減光部材を備えない照明装置では、輝度のばらつきが１０００〜９００の範囲内に広がっていることがわかる。図９中の線Ｌ３から読み取れるように、導光部材も減光部材も備えない照明装置では、輝度のばらつきが１０００〜７８０の範囲内に広がっていることがわかる。
【００５４】
当該実験例の結果からも、上述の実施の形態に基づく照明装置によれば、互いに隣り合う発光パネルの間の非発光領域から光が放射されているかのような視覚効果を得ることができるだけでなく、発光面の全体としての輝度の不均一性をより一層低減することが可能となることがわかる。
【００５５】
（変形例１）
上述の実施の形態においては、減光部としての減光部材４０が、導光部材３０とは別部材として設けられる（図７参照）。減光部としては、導光部材３０の光取出面３２に表面加工が行なわれることによって、導光部材３０の一部として形成されていてもよい。このような減光部は、たとえば光取出面３２にサンドブラスト加工などの粗面化処理が施されることにより形成することができる。このような減光部は、印刷等によりパターニング加工などの粗面化処理が施されることによっても形成することができる。このような減光部は、導光部材３０を成形するときに用いられる金型のうちの光取出面３２に対応する成形面に微細な凹凸を設けることによっても形成することができる。減光部としては、このような表面加工が施された部分と、減光部材４０のように別部材として取り付けられた部分とが併用されていてもよい。
【００５６】
（変形例２）
図１０を参照して、上述の実施の形態における減光部（減光部材４０）は、導光部材の光取出面上において発光領域Ｒ１（図５，図７等参照）に対向するように部分的に設けられる。図１０に示すように、減光部は、導光部材の光取出面上において発光領域Ｒ１（図５，図７等参照）および非発光領域Ｒ２（図５，図７等参照）の双方に対向するように、光取出面３２の全面に設けられていてもよい。この場合、導光部材が発光パネルの透明基板に取り付けられた状態において、導光部材の光取出面は、発光領域Ｒ１および非発光領域Ｒ２の双方に対向する形状を有する。
【００５７】
図１０に示す導光部材３０Ａにおいては、光取出面３２上に、減光部４０Ａが形成される。減光部４０Ａは、中央部４０Ｍおよび外周部４０Ｎを含む。減光部４０Ａは、導光部材３０Ａの光取出面３２に表面加工が行なわれることによって、導光部材３０Ａの一部として形成されている。
【００５８】
中央部４０Ｍは、導光部材３０Ａが発光パネルの透明基板に取り付けられた状態においては、発光領域Ｒ１（図５，図７等参照）に対向する。中央部４０Ｍは、減光部４０Ａのうちの発光領域Ｒ１に対向するように設けられた部分に相当する。外周部４０Ｎは、導光部材３０Ａが発光パネルの透明基板に取り付けられた状態においては、非発光領域Ｒ２（図５，図７等参照）に対向する。外周部４０Ｎは、減光部４０Ａのうちの非発光領域Ｒ２に対向するように設けられた部分に相当する。
【００５９】
中央部４０Ｍの光透過率は、外周部４０Ｎの光透過率よりも低い。換言すると、中央部４０Ｍは、外周部４０Ｎに比べて光を通しにくい性質を有している。当該構成によっても、上記の実施の形態と同様の作用および効果を得ることができる。中央部４０Ｍの光拡散率を外周部４０Ｎの光拡散率よりも高くした場合も、同様の作用および効果を得ることができる。
【００６０】
中央部４０Ｍおよび外周部４０Ｎに対応する光透過率または光拡散率を有する光拡散シート等を光取出面３２に貼り付けた場合も、同様の作用および効果を得ることができる。中央部４０Ｍの中心付近から外周部４０Ｎに向かうにつれて、光透過率が徐々に高くなるように構成してもよい。当該構成によれば、面内における輝度の変化の程度が滑らかになり、より自然な発光を実現することが可能となる。中央部４０Ｍの中心付近から外周部４０Ｎに向かうにつれて、光拡散率が徐々に低くなるように構成してもよい。当該構成によっても、同様の作用および効果を得ることができる。
【００６１】
（変形例３）
図１１は、実施の形態の変形例３における照明装置１０１を示す断面図である。上述の実施の形態における照明装置１００は、導光部材３０の反射面３４が反射部として機能している。反射面３４は、導光部材３０の一部として形成されている。反射部としての機能は、導光部材３０とは別に設けられた部材によって実現されてもよい。
【００６２】
照明装置１０１は、照明装置１００の構成に加えて、反射部材３４Ａをさらに備えている。反射部材３４Ａは、たとえば金属製の薄板から構成される。非発光領域Ｒ３に対応する部分に設けられた反射部材３４Ａは、折曲部３４Ｍ，３４Ｎを有し、板金加工などによってＶ字状に折り曲げられた形状を有している。反射部材３４Ａは、反射面３４（図７参照）の反射機能を代替もしくは補完することができる。
【００６３】
反射部材３４Ａに用いられる金属材料しては、たとえば、アルミ（高輝度アルミ材）、鉄、銅およびステンレスが挙げられる。金属材料以外の材料としては、反射機能を有するシール、または、ポリカーボネート、アクリル、ＡＢＳおよびＰＥＴなどの樹脂材料が挙げられ、樹脂材料を用いる場合には、これらの光学部材を射出成形によって作製することができる。反射機能を高めるために、これらの材料の表面に、銀、金、アルミまたはこれらの合金の膜を付与してもよい。反射部材３４Ａの代わりに、導光部材３０の反射面３４に銀などの蒸着膜を形成してもよい。この他にも、アルミの蒸着膜が形成されてもよく、銀およびアルミのメッキ処理が施されてもよく、塗装などで成膜を行ってもよい。
【００６４】
（変形例４）
図１２は、実施の形態の変形例４における照明装置１０２を示す断面図である。照明装置１０２は、照明装置１０１（図１１参照）の構成に加えて、光拡散層８０（光拡散部）をさらに備えている。光拡散層８０は、発光パネル１０の発光領域Ｒ１と導光部材３０との間に設けられる。照明装置１００（図８参照）の構成に加えて、光拡散層８０が用いられてもよい。
【００６５】
光拡散部としては、導光部材３０の光入射面３１上に凹凸加工を施したものであってもよい。この場合、光拡散部は、導光部材３０の一部として形成される。光拡散部としては、導光部材３０の光入射面３１上に微粒子を塗布する加工を施したものであってもよい。光拡散部としては、光拡散率の異なる領域が混在していてもよい。
【００６６】
発光パネル１０から出射される光は、スペクトルにより配光特性が異なっている。換言すると、発光パネル１０から出射される光には、直進性が高い色と、直進性が低い色とが存在している。色による直進性の違いが存在するために、導光部材３０を透過してそのまま出射される光と、導光部材３０の内部で全反射して非発光領域まで伝搬されて出射される光との間には、色ずれが生じやすい。
【００６７】
光拡散層８０（光拡散部）が発光パネル１０の発光領域Ｒ１と導光部材３０との間に設けられることにより、光拡散層８０を通して導光部材３０の内部に入り込む光は、光拡散層８０を通過する際に広く拡散されることとなる。各スペクトルの配光特性をランバート配光とすることが可能となり、波長差による傾向（偏り）を低減できる。均一な任意色の光を光取出面３２から出射することが可能となる。
【００６８】
たとえば、導光部材３０から出射される光のほとんどが白く見える一方で、導光部材３０から出射される光が部分的に黄色く見えたりすることを抑制することが可能となる。表面に凹凸が形成されている場合には光はより一層拡散され、まるでそこに二次的な光源があるような振る舞いとなる。反射率の異なる領域が混在する場合には、反射率の差によって正面方向へ向かう光が異なるため、より均斉度のとれた輝度分布を実現することも可能となる。
【００６９】
以上、本発明に基づいた実施の形態、変形例および実験例について説明したが、今回開示された実施の形態、変形例および実験例はすべての点で例示であって制限的なものではない。本発明の技術的範囲は請求の範囲によって示され、請求の範囲と均等の意味および範囲内でのすべての変更が含まれることが意図される。
【符号の説明】
【００７０】
１０  発光パネル、１０Ｅ  外周、１１  透明基板、１２  表面、１３  裏面、１４  陽極、１５  有機層、１６  陰極、１７  封止部材、１８  絶縁層、１９  背面、２０  分割領域、２１，２２  電極取出部、３０，３０Ａ  導光部材、３１  光入射面、３２  光取出面、３４  反射面（反射部）、３４Ａ  反射部材（反射部）、３４Ｍ，３４Ｎ  折曲部、４０  減光部材（減光部）、４０Ａ  減光部、４０Ｍ  中央部、４０Ｎ  外周部、５０  筺体、５１  背面パネル、５２  側壁部、５３  取付具、５４  パネル保持部、５５  固定部、５６  コネクター、５７  ドライバー回路、６０  光拡散板、６１  上面、６２  間隙、７０  隙間、８０  光拡散層、１００，１０１，１０２  照明装置、ＡＲ１，ＡＲ２，ＡＲ３，ＡＲ４，ＡＲ５，ＤＲ  矢印、Ｈ１  間隔、Ｌ１，Ｌ２，Ｌ３  線、Ｒ１  発光領域、Ｒ２，Ｒ３  非発光領域、Ｔ１  厚さ。
【要約】
照明装置は、それぞれが発光領域および非発光領域を表面（１２）に有し非発光領域同士が隣り合うように配置された複数の発光パネル（１０）と、光入射面および光取出面（３２）を有し、光入射面が発光パネルの表面（１２）に対向するように配置され発光領域からの光を光入射面から取り込んで光取出面から出射する導光部材（３０）と、発光パネルの表面の側から非発光領域に対向するように位置し発光領域から導光部材に取り込まれた光を反射する反射部（３４）と、発光領域に対向するように光取出面上に設けられた減光部（４０）と、導光部材に間隙を空けて対向する光拡散部材（６０）とを備え、発光領域から導光部材（３０）に取り込まれた光の一部は、減光部（４０）を通過することにより光量が減少された状態で出射される。輝度の不均一性を低減し、非発光領域を目立たなくすることができる。【図１】
0005598633.tif 000002
【図２】
0005598633.tif 000003
【図３】
0005598633.tif 000004
【図４】
0005598633.tif 000005
【図５】
0005598633.tif 000006
【図６】
0005598633.tif 000007
【図７】
0005598633.tif 000008
【図８】
0005598633.tif 000009
【図９】
0005598633.tif 000010
【図１０】
0005598633.tif 000011
【図１１】
0005598633.tif 000012
【図１２】
0005598633.tif 000013